(57)【要約】【課題】掛止レールに対して壁面パネルをより安定した状態で取り付けることができる壁面パネルの取り付け構造を提供する。【解決手段】壁面パネル１３の取り付け構造は、壁の下地１１に固定され、その長手方向において複数の挿入孔２２が間隔を置いて設けられた掛止レール１２と、挿入孔２２に掛止可能なフック部２６を有する第１掛止部材２７が裏面に固定された壁面パネル１３とを備え、挿入孔２２にフック部２６が掛止されることにより、掛止レール１２に対して壁面パネル１３が取り付けられた構造である。そして、掛止レール１２は第１嵌合部２３を有し、第１掛止部材２７はフック部２６が挿入孔２２に掛止された場合に第１嵌合部２３に嵌合される第２嵌合部３２を有している。【選択図】図９
2019218735.tif 000002
【特許請求の範囲】
【請求項１】
壁の下地に固定され、その長手方向において複数の第１掛止部が間隔を置いて設けられた掛止レールと、
前記第１掛止部に掛止可能な第２掛止部を有する掛止部材が裏面に固定された壁面パネルと、を備え、
前記第１掛止部に前記第２掛止部が掛止されることにより、前記掛止レールに対して前記壁面パネルが取り付けられた壁面パネルの取り付け構造であって、
前記掛止レールは、第１嵌合部を有し、
前記掛止部材は、前記第２掛止部が前記第１掛止部に掛止された場合に前記第１嵌合部に嵌合される第２嵌合部を有していることを特徴とする壁面パネルの取り付け構造。
【請求項２】
前記掛止レールは、前記第２掛止部が前記第１掛止部に掛止された場合に前記第２掛止部を収容する収容部を有し、
前記収容部における下側には、少なくとも１つの開口部が形成されていることを特徴とする請求項１に記載の壁面パネルの取り付け構造。
【請求項３】
前記掛止部材は、前記壁面パネルに沿って延びており、その長手方向の端部に前記壁面パネルの端面に掛止される鉤部が形成されていることを特徴とする請求項１または請求項２に記載の壁面パネルの取り付け構造。
【発明の詳細な説明】
【技術分野】
【０００１】
本発明は、壁の下地に壁面パネルを取り付ける壁面パネルの取り付け構造に関する。
【背景技術】
【０００２】
従来、この種の壁面パネルの取り付け構造として例えば特許文献１に示すものが知られている。こうした壁面パネルの取り付け構造では、壁の下地に固定され、その長手方向において複数の掛止部が間隔を置いて設けられた掛止レールと、掛止部に掛止可能なフック部を有する掛止部材が裏面に固定された壁面パネルとを備えている。そして、掛止部にフック部が掛止されることにより、１つの掛止レールに対して複数の壁面パネルが長手方向に並ぶように取り付けられるようになっている。
【先行技術文献】
【特許文献】
【０００３】
【特許文献１】特開２０１７−８６６２号公報
【発明の概要】
【発明が解決しようとする課題】
【０００４】
ところで、上述のような壁面パネルの取り付け構造では、掛止部にフック部を単に上側から引っ掛けるだけで掛止レールに壁面パネルが取り付けられている。このため、掛止部はフック部の横方向への位置ずれを抑制できないので、掛止レールに対して壁面パネルを安定した状態で取り付ける上では改善の余地を残すものとなっている。
【０００５】
本発明は、このような従来技術に存在する問題点に着目してなされた。その目的は、掛止レールに対して壁面パネルをより安定した状態で取り付けることができる壁面パネルの取り付け構造を提供することにある。
【課題を解決するための手段】
【０００６】
以下、上記課題を解決するための手段及びその作用効果について記載する。
上記課題を解決する壁面パネルの取り付け構造は、壁の下地に固定され、その長手方向において複数の第１掛止部が間隔を置いて設けられた掛止レールと、前記第１掛止部に掛止可能な第２掛止部を有する掛止部材が裏面に固定された壁面パネルと、を備え、前記第１掛止部に前記第２掛止部が掛止されることにより、前記掛止レールに対して前記壁面パネルが取り付けられた壁面パネルの取り付け構造であって、前記掛止レールは、第１嵌合部を有し、前記掛止部材は、前記第２掛止部が前記第１掛止部に掛止された場合に前記第１嵌合部に嵌合される第２嵌合部を有していることを要旨とする。
【０００７】
この構成によれば、第１掛止部に第２掛止部が掛止された際に第１嵌合部と第２嵌合部とが嵌合することで、第１掛止部に対する第２掛止部の位置ずれを効果的に抑制できる。このため、掛止レールに対して壁面パネルをより安定した状態で取り付けることができる。
【発明の効果】
【０００８】
本発明によれば、掛止レールに対して壁面パネルをより安定した状態で取り付けることができる。
【図面の簡単な説明】
【０００９】
【図１】壁面パネルの取り付け構造の一実施形態について、下地に固定された掛止レールと壁面パネルとを離して示す分解斜視図。
【図２】掛止レールの表側の一部を示す斜視図。
【図３】掛止レールの裏側の一部を示す斜視図。
【図４】壁面パネルの裏面に第１掛止部材を取り付けたときの状態を示す背面図。
【図５】第１掛止部材の斜視図。
【図６】図５の要部拡大図。
【図７】第２掛止部材の斜視図。
【図８】壁面パネルが下地に固定された掛止レールに第１掛止部材を介して掛止されたときの状態を示す模式図。
【図９】図８の９−９線矢視断面図。
【発明を実施するための形態】
【００１０】
以下、壁面パネルの取り付け構造の一実施形態を図面に従って説明する。
図１に示すように、建物の外装壁を構成する下地１１の表面には、横方向Ｘに延びる複数の掛止レール１２が縦方向Ｙに適宜間隔を置いて互いに平行となるように固定されている。複数の掛止レール１２には、複数の壁面パネル１３が縦方向Ｙ及び横方向Ｘに互いに隣り合って取り付けられる。
【００１１】
本実施形態の壁面パネル１３は、天然石材からなり、横長の矩形板状をなしている。さらに本実施形態の複数の壁面パネル１３の並べ方は、横方向Ｘの目地を複数の壁面パネル１３にわたって直線状に延ばす一方、縦方向Ｙの目地を互い違いに設定する、所謂馬目地とされている。このため、複数の壁面パネル１３の中には、壁面パネル１３の横方向Ｘの長さを半分にした半壁面パネル１３Ａが含まれる。
【００１２】
図２及び図３に示すように、掛止レール１２は、１枚の金属製の矩形状の板材を曲げ加工することによって形成され、横方向Ｘから見て表側に突出する略Ｕ字状をなす本体部１４と、本体部１４の縦方向Ｙの両側に位置するフランジ部１５とを備えている。本体部１４は、水平面と平行な上壁１６と、上壁１６と縦方向Ｙで対向するとともに水平面と平行な下壁１７と、上壁１６と下壁１７とを連結するとともに鉛直面と平行な側壁１８とを有している。
【００１３】
このため、本体部１４の裏側には、上壁１６、下壁１７、及び側壁１８によって収容部の一例としての横方向Ｘに延びる凹溝１９が形成される。この場合、凹溝１９の底壁が側壁１８によって構成され、凹溝１９の両側壁が上壁１６及び下壁１７によって構成される。本体部１４における縦方向Ｙの両側に位置する２つのフランジ部１５のうち、上壁１６と連結された方は上側フランジ部１５ａとされ、下壁１７と連結された方は下側フランジ部１５ｂとされている。上側フランジ部１５ａ及び下側フランジ部１５ｂは、いずれも横方向Ｘに延びるとともに側壁１８と平行な平板状をなしている。
【００１４】
上側フランジ部１５ａ及び下側フランジ部１５ｂには、掛止レール１２を下地１１（図１参照）に第１ねじ２０（図９参照）で固定するための複数の第１ねじ孔２１が横方向Ｘに適宜の間隔を置いてそれぞれ貫通するように形成されている。本体部１４における上壁１６と側壁１８とで形成されるコーナー部には、複数の第１掛止部の一例としての挿入孔２２が掛止レール１２の長手方向ともなる横方向Ｘに等間隔となるように貫通して形成されている。挿入孔２２は、掛止レール１２の表側から見ると横長の矩形状をなしており、横方向Ｘから見るとＬ字状をなしている。
【００１５】
本体部１４の側壁１８における複数の挿入孔２２の直ぐ下側には、表側から裏側に向かって所謂半抜き加工することによって形成された複数の円形の第１嵌合部２３がそれぞれ形成されている。第１嵌合部２３は、本体部１４の表側から見ると窪んでおり、本体部１４の裏側から見ると突出している。すなわち、第１嵌合部２３は、凹溝１９内に突出している。
【００１６】
掛止レール１２は、下側フランジ部１５ｂから本体部１４の下壁１７の一部にかけての部分を縦方向Ｙに切り欠いてなる切欠部２４を有している。切欠部２４における本体部１４の下壁１７と対応する部分は、開口部２５とされている。したがって、開口部２５は、凹溝１９における下側に形成されていると言える。開口部２５は、凹溝１９における下側に横方向Ｘに適宜間隔を置いて複数形成してもよい。
【００１７】
図４に示すように、壁面パネル１３の裏面には、掛止レール１２の挿入孔２２に掛止可能な一対の第２掛止部の一例としてのフック部２６を有する掛止部材の一例としての横方向Ｘに延びる矩形板状の２つの第１掛止部材２７が縦方向Ｙに間隔をおいて固定されている。これら２つの第１掛止部材２７同士の間隔は、互いに縦方向Ｙで隣り合って対をなす２つの掛止レール１２（図１参照）と対応するように設定されている。本実施形態の第１掛止部材２７は、掛止レール１２と同一の金属材料によって形成されているが、第１掛止部材２７を掛止レール１２とは異なる金属材料によって形成してもよい。
【００１８】
図４及び図５に示すように、第１掛止部材２７は、壁面パネル１３の裏面に沿って横方向Ｘに延びており、その長手方向となる横方向Ｘの一端部に壁面パネル１３の横方向Ｘの一端面に掛止される鉤部２８が形成されている。鉤部２８は、第１掛止部材２７の横方向Ｘの一端部をほぼ直角に曲げ加工することによって形成される。第１掛止部材２７の上端部には、横方向Ｘに等間隔となるように配置された第２ねじ孔２９が貫通するように複数（本実施形態では３つ）形成されている。
【００１９】
第１掛止部材２７は、各第２ねじ孔２９において第２ねじ３０によって壁面パネル１３の裏面に固定される。このとき、第１掛止部材２７の鉤部２８を壁面パネル１３の横方向Ｘの一端面に掛止させることで、壁面パネル１３の裏面に対する第１掛止部材２７の横方向Ｘの位置が決められる。
【００２０】
図５及び図６に示すように、一対のフック部２６は、第１掛止部材２７における縦方向Ｙの中央部に配置され、第１掛止部材２７の一部を切り曲げ加工することによって形成される。一対のフック部２６は、下向きのフック形状を有しており、横方向Ｘに間隔を置いて設けられている。一対のフック部２６は、第１掛止部材２７に形成された開口３１の上側縁から突出するとともに屈曲して下方に延びている。
【００２１】
本実施形態の第１掛止部材２７における一対のフック部２６の横方向Ｘの間隔は、一対のフック部２６が掛止レール１２における横方向Ｘに等間隔で並ぶ複数の挿入孔２２のうちの或る１つの挿入孔２２と当該挿入孔２２の４つ隣の挿入孔２２とそれぞれ対応するように設定されている。フック部２６は、その中央部に円形の貫通孔によって構成された第２嵌合部３２を有している。そして、図９に示すように、第２嵌合部３２は、掛止レール１２の挿入孔２２に第１掛止部材２７のフック部２６を挿入して掛止した場合に、第１嵌合部２３に嵌合される。この場合、挿入孔２２に挿入されたフック部２６は、凹溝１９内に収容される。
【００２２】
図１及び図７に示すように、半壁面パネル１３Ａの裏面には、上記した第１掛止部材２７を壁面パネル１３の裏面に固定する場合と同様に、掛止レール１２の挿入孔２２に掛止可能な一対のフック部２６を有する掛止部材の一例としての横方向Ｘに延びる矩形板状の２つの第２掛止部材３３が縦方向Ｙに間隔をおいて固定される。
【００２３】
図５及び図７に示すように、第２掛止部材３３は、第１掛止部材２７において、横方向Ｘの長さを半分にし、第２ねじ孔２９を２つにし、一対のフック部２６の間隔を少し狭くしたものであり、それ以外は第１掛止部材２７と同一の構成になっている。したがって、第２掛止部材３３は、第１掛止部材２７と同様の機能を有する。本実施形態の第２掛止部材３３における一対のフック部２６の横方向Ｘの間隔は、一対のフック部２６が掛止レール１２における横方向Ｘに等間隔で並ぶ複数の挿入孔２２のうちの或る１つの挿入孔２２と当該挿入孔２２の２つ隣の挿入孔２２とそれぞれ対応するように設定されている。
【００２４】
次に、壁面パネル１３を下地１１に取り付ける際の作用について説明する。
図１及び図４に示すように、壁面パネル１３を下地１１に取り付ける場合には、まず、複数対の掛止レール１２を下地１１に対してそれぞれ第１ねじ２０（図９参照）で固定する。この場合、複数対の掛止レール１２は、各対の掛止レール１２の間隔が壁面パネル１３の裏面に固定された一対の第１掛止部材２７の間隔とそれぞれ対応し、且つ縦方向Ｙに適宜間隔を置いて互いに平行となるように下地１１に固定される。
【００２５】
続いて、図８及び図９に示すように、掛止レール１２の挿入孔２２に対して壁面パネル１３の裏面に取り付けられた第１掛止部材２７のフック部２６を挿入して掛止させる。すると、フック部２６の第２嵌合部３２が掛止レール１２の本体部１４の側壁１８に形成された第１嵌合部２３に嵌合される。これにより、掛止レール１２の挿入孔２２に対する第１掛止部材２７のフック部２６の位置ずれが効果的に抑制されるので、壁面パネル１３が第１掛止部材２７及び掛止レール１２を介して下地１１に対してより安定した状態で取り付けられる。同様に、半壁面パネル１３Ａは、第２掛止部材３３及び掛止レール１２を介して下地１１に取り付けられる。
【００２６】
本実施形態では、図８に示すように、第１掛止部材２７の２つのフック部２６をそれぞれ掛止する掛止レール１２の２つの挿入孔２２同士の間には、フック部２６を掛止しない３つの挿入孔２２が存在する。また、図示はしないが、第２掛止部材３３の２つのフック部２６をそれぞれ掛止する掛止レール１２の２つの挿入孔２２同士の間には、フック部２６を掛止しない１つの挿入孔２２が存在する。なお、図８では、互いに掛止された状態の挿入孔２２及びフック部２６を網掛けで示している。
【００２７】
このように、壁面パネル１３の裏面に取り付けられた第１掛止部材２７のフック部２６を掛止レール１２の挿入孔２２で順次に掛止することで、一対の掛止レール１２に対して複数の壁面パネル１３が横方向Ｘに並ぶように取り付けられる。なお、壁面パネル１３は、下端に位置する一対の掛止レール１２から上端に位置する一対の掛止レール１２に向けて順次に取り付けられる。つまり、最も下端に位置する一対の掛止レール１２全体に複数の壁面パネル１３を取り付けたら、その一対の掛止レール１２の直ぐ上に位置する一対の掛止レール１２に複数の壁面パネル１３を取り付ける。これを繰り返すことで、全ての対をなす掛止レール１２に複数の壁面パネル１３が取り付けられる。全ての壁面パネル１３が取り付けられた後、目地に目地材を充填する。目地材としては、変性シリコーンやポリサルファイド系の合成樹脂を用いることができる。
【００２８】
以上詳述した実施形態によれば、次のような効果が発揮される。
（１）掛止レール１２は第１嵌合部２３を有し、第１掛止部材２７のフック部２６は挿入孔２２に掛止された場合に第１嵌合部２３に嵌合される第２嵌合部３２を有している。この構成によれば、フック部２６が挿入孔２２に掛止された際に第１嵌合部２３と第２嵌合部３２とが嵌合することで、挿入孔２２に対するフック部２６の位置ずれを効果的に抑制できる。このため、掛止レール１２に対して壁面パネル１３をより安定した状態で取り付けることができる。
【００２９】
（２）掛止レール１２はフック部２６が挿入孔２２に挿入されて掛止された場合にフック部２６を収容する凹溝１９を有し、凹溝１９における下側には開口部２５が形成されている。この構成によれば、例えば壁面パネル１３の裏側に雨水が浸入して凹溝１９内に雨水が溜まった場合でも、当該溜まった雨水を重力によって開口部２５から凹溝１９外へ排出させることができる。
【００３０】
（３）第１掛止部材２７は、壁面パネル１３に沿って延びており、その長手方向の端部に壁面パネル１３の端面に掛止される鉤部２８が形成されている。この構成によれば、第１掛止部材２７を壁面パネル１３の裏面に固定する際に第１掛止部材２７の鉤部２８を壁面パネル１３の端面に掛止させることで、壁面パネル１３の裏面に対する第１掛止部材２７の固定位置を決めることができる。
【００３１】
（変更例）
なお、上記実施形態は次のように変更してもよい。
・第１掛止部材２７において鉤部２８は省略してもよい。
【００３２】
・掛止レール１２において開口部２５は省略してもよい。
・第２嵌合部３２は、第１嵌合部２３と嵌合可能な凹部によって構成してもよい。
・第２嵌合部３２を凸部によって構成し、第１嵌合部２３を第２嵌合部３２と嵌合可能な凹部または孔によって構成してもよい。
【００３３】
・１つの第１掛止部材２７または１つの第２掛止部材３３に設けられるフック部２６の数は、１つであってもよいし、３つ以上であってもよい。
・１つの壁面パネル１３の裏面に固定される第１掛止部材２７の数は１つであってもよい。この場合、壁面パネル１３の裏面の縦方向Ｙにおける中央部に第１掛止部材２７を固定することが好ましい。また、１つの壁面パネル１３の裏面に固定される第１掛止部材２７の数は３つ以上であってもよい。
【００３４】
・１つの半壁面パネル１３Ａの裏面に固定される第２掛止部材３３の数は１つであってもよい。この場合、半壁面パネル１３Ａの裏面の縦方向Ｙにおける中央部に第２掛止部材３３を固定することが好ましい。また、１つの半壁面パネル１３Ａの裏面に固定される第２掛止部材３３の数は３つ以上であってもよい。
【００３５】
・掛止レール１２、第１掛止部材２７、及び第２掛止部材３３のうちの少なくとも一つは、例えば硬質合成樹脂材料などの金属材料以外の材料によって形成してもよい。
・壁面パネル１３及び半壁面パネル１３Ａは、例えば人工石、木材、合成樹脂などの天然石以外の材料によって形成してもよい。
【００３６】
・複数の壁面パネル１３の並べ方は、縦方向Ｙ及び横方向Ｘの目地が複数の壁面パネル１３にわたってそれぞれ直線状に延びる、所謂芋目地としてもよい。この場合、半壁面パネル１３Ａは用いられない。
【００３７】
・上記実施形態の壁面パネルの取り付け構造を、建物の内装壁を構成する壁面パネルの取り付け構造として具現化してもよい。
【符号の説明】
【００３８】
１１…下地、１２…掛止レール、１３…壁面パネル、１３Ａ…半壁面パネル、１９…収容部の一例としての凹溝、２２…第１掛止部の一例としての挿入孔、２３…第１嵌合部、２５…開口部、２６…第２掛止部の一例としてのフック部、２７…掛止部材の一例としての第１掛止部材、２８…鉤部、３２…第２嵌合部、３３…掛止部材の一例としての第２掛止部材。
【図１】
2019218735.tif 000003
【図２】
2019218735.tif 000004
【図３】
2019218735.tif 000005
【図４】
2019218735.tif 000006
【図５】
2019218735.tif 000007
【図６】
2019218735.tif 000008
【図７】
2019218735.tif 000009
【図８】
2019218735.tif 000010
【図９】
2019218735.tif 000011